(57)【要約】【課題】水質調査における透視度の測定を容易にする【解決手段】本考案は短い透視度計を何本か連結可能なタイプとすることにより１ｍにおよぶ長い透視度の測定における利便性を改善する。３０〜４０ｃｍのガラス又は透明プラスチィック製円筒を２〜５本接続できるように加工し必要に応じてこれらを連結して測定に使用される。液漏れを防ぐために連結部にはゴム製パッキンを取りつける。固定にはクリップを使用する。また標識板の洗浄や取り外し等を容易とするため、標識板を底部に接着しこれを取り外しできる構造とする。測定時において液面の調節を容易におこなうため、液面調節容器を接続した構造とする。【選択図】図１
0003104196.tif 000002
【実用新案登録請求の範囲】
【請求項１】
ガラス又は光透過性の材質で製作された底付きの円筒（Ａ）で円筒の上面に密閉用シールパッキンを取り付けることが可能な接続用平板を接合したものと、同一の材料で製作された１個あるいは複数個の円筒（Ｂ）で、上面に密閉用シールパッキンと接続用平板を、下面には接続用平板を取りつけたもの、および下面に接続用平板を取りつけ、上面には何も付けない円筒（Ｃ）で構成される組み立て式透視度計。
【請求項２】
密閉用シールパッキンの代わりに両面擦り合せガラスを各接続用平板に用いた組み立て式透視度計。
【請求項３】
透視度計本体（円筒）とこれと接続可能な標識板（円盤）を貼付た底部とで構成されることを特徴とした組み立て式透視度計。
【請求項４】
透視度計本体（円筒）とこれと接続可能な標識板（円盤）を貼付た底部とで構成されることを特徴とした従来型の透視度計。
【請求項５】
試験水の液面調節容器を軟質の配管で透視度計底部に連結することを特徴とする透視度計。
【考案の詳細な説明】
【技術分野】
【０００１】  本登録は、各種の河川水や排水などの透視度の測定に係る環境技術に関する。
【背景技術】
【０００２】  海域、河川、湖沼などの各種環境調査の１項目としてＪＩＳ−Ｋ０１０２に規定される透視度測定が広く実施されている。この方法は目盛付きガラスあるいは透明なプラスチック製の円筒容器に試験水を入れ、この液面を調節しながら、これを上面からの目視により下部に設置する標識板（マーク）を認識し、認識可能な水位を計測することにより河川水等の透明性を測定し汚濁の評価を行うものである。目視観察であるため、透視度計に電気的装置を接続し、観測精度を向上する方法が開発されている。
【特許文献１】特開平１１−３３７４８８号
また液排出時において標識板が固定されていないことから被測定水と一緒に排出し、紛失するトラブルが発生する。これをを避けるため、標識板排出防止リングを接着できるようにしたものも開発されている。
【特許文献２】特開平９−２５７７０６号
【考案の開示】
【考案が解決しようとする課題】
【０００３】  これまでの透視度計は観測する試験水の透明性に応じて３０ｃｍ、６０ｃｍ、１ｍの各種サイズ（長さ）が使用されている。透明性の高い試験水には長いものが使用される。しかし、長いものはもち運びに不便であり、破損の危険が大きかった。本発明は、組み立て式とすることにより、こうした不便性を解消するものである。【０００４】  標識板が底部に置かれる。このものは透視度計円筒の上部から挿入されるが、この取り外しや洗浄が面倒である。また、試験水の排出時に、試験水と一緒に落下し紛失するトラブルが多く発生し、対策が必要となっている。また、測定時に試験水の液面を調節する必要があるが、従来の透視度計ではピンチコックを開いて液を外部に流出し、一方的に液面を下げるのみで、上下に変更することは困難であった。
【課題を解決するための手段】
【０００５】  請求項１は透視度計を複数の組み立て式とすることで容易にバッグ等に格納できることを目的とするが、このためには簡易に組み立てできること、および液もれが生じないことが必要である。この対策としてゴムなどの軟質性材料を用いたパッキンの使用とこれを支える平板にクリップによる固定法を採用した。【０００６】  請求項２はパッキンの代りに共擦りのガラスを用いることにより接続を可能とするものである。【０００７】  請求項３は底部を透視度計本体から取り外し可能な構造とし、これに標識板を貼付け固定し、標識板の取り外しの不便を解消し、かつ試験水の排出時における紛失を防止する。また底部が分離できることから透視度計本体（円筒）の洗浄も容易なる。【０００８】  請求項４は従来型の透視度計の底部を請求項３と同様の取り付け型とし、標識板取り付け等における不便、トラブルを防ぐものである。【０００９】  請求項５は試験水の液面を随時変更可能とすることにより、測定を容易にするものである。こために液面調節容器を軟質のチューブで本体と連結する。測定水は調節容器を上下することにより調節容器と透視度計本体との間を連結管原理により移動し随時液面のコントールが可能となる。
【考案の効果】
【００１０】  本発明は、透視度計を組み立て式とすることから、１ｍにおよぶ長い透視度計の場合における持ち運びの不便を解消し、野外における現地調査に使用が容易となる。また透視度計の洗浄や液面コントロールが容易となるなどの便利が図られる。立入り検査や環境教育等現地での簡易試験が要求される環境試験調査に活用される。
【考案を実施するための最良の形態】
【００１１】  請求項１の透視度計は図１のように、光透過性の材料としてガラス又は透明プラスチックを用い、これに目盛を付けた底付き円筒Ａと同一の材料で製作された目盛付き円筒Ｂおよび円筒Ｃから構成される。円筒Ａの底には標識板を設置する。この標識板は底部に接着して、あるいは接着しない状態で用いられる。円筒Ａ上面および円筒Ｂの両面には図２に示すような平板（フランジ）を取りつける。円筒Ｃは下面のみに平板を取りつけ、クリップによる固定を可能とする。円筒Ａおよび円筒Ｂの上面には輪状あるいは平板のパッキンを接着し、水漏れを防ぐ構造とする。あるいは図３のように平板（フランジ）部に輪状の溝を設け、取り外し可能な輪状パッキンを使用できる構造とする。パッキンの材料としてはゴム、軟質のプラスチックなどが使用される。円筒Ａ、円筒Ｂおよび円筒Ｃは図２のように接続し、市販のクリップで固定、使用する。あるいは簡易な接着材での接合も考えられる。試験水の透視度の状況により円筒Ｂは複数個、使用される。測定方法はこの円筒上部から試験水を注入し、これを上面から覗くことにより円筒下部の標識を観察する。認識できない場合は排水管のピンチコックを開き、試験水を徐々に排出する。標識が認識できたときの水位を計測し、その値を透視度とする。透視度計本体は長い円筒形であるため、通常はこれを支えることを可能とする固定用の架台に設置し使用する。【００１１】  請求項２は請求項１の透視度において、パッキン材料を用いる代わりに接続用平板部に共擦りガラス板あるいはプラスチック材を使用しパッキン無しでも測定水の漏れが生じない構造とする。【００１２】  請求項３は円筒Ａの底部を図４のようにネジ込み式とする。または“かしめる”、あるいはパッキンを取りつけてクリップにより固定するなどの接続方式も考えられる。底部上面に標識板を貼付ける。あるいは印刷により明示する。底部は洗浄など、必要に応じて取り外しする。請求項４は従来型の透視度計に請求項３の方式を加えたものである。【００１３】  請求項５は透視度計本体の内容積よりも大きい容積の液面調節容器をゴムあるいはプラスチィック等の軟質のチューブで本体と連結したものである。ピンチコックを開いた状態において液面調節容器に試験水を入れると液は本体のほうへ移動し、調節容器の高さを変えることにより本体の液面も連結管原理により変動する。従って透視度計の標識板を観察しながら液面をコントロールすることで正確な液面が観測できる。ピンチコックは必要に応じて使用される。
【実施例】
【００１４】  以下に実施例を挙げて本考案を説明するが、これらは本考案を限定するものではない。
実施例
円筒Ａ（長さ４０ｃｍ）１ケおよび円筒Ｂ（長さ３０ｃｍ）２ケを接続して総延長１ｍの透視度計を組み立て河川水の測定を行った。比較として市販の透視度計（長さ１ｍ）を用いて同時に測定を行った。試験の結果（表１）では２種類の試験水について、いずれもほぼ、同一の値を示し、使用可能であることを示した。【００１５】
【表１】
0003104196.tif 000003
【産業上の利用可能性】
【００１６】  本考案は野外における現地調査や環境教育等での簡易試験・調査に活用される。
【図面の簡単な説明】
【００１７】
【図１】図１は透視度計の概要を示したものである。
【図２】図２は透視度計の接続部の詳細および接続した場合の状況を示したものである。
【図３】図３は輪状パッキンを用いた接続部の構造を示したものである。
【図４】図４は透視度計の底部（ネジ式）の構造を示したものである。
【図５】図５は請求項５の透視度計の構造を示したものである。
【符号の説明】
【００１８】図１
ａ            側面図
１          円筒Ａ
２          円筒Ｂ
３          円筒Ｃ
４          排水管
５          ピンチコック
６          標識板
ｂ            平面図
７          円筒Ａ、ＢおよびＣ
ｃ            上面
ｄ            下面
図２
ａ            上面
１          パッキング
２          円筒Ｂ
３          クリップ
４          円筒Ａ
ｂ            下面
図３
ａ            上面
１          パッキング
２          輪状溝
３          円筒Ａ又はＢ
４          円筒Ｂ又はＣ
ｂ            下面
図４
１          円筒Ａ
２          排水口
３          ネジ部（メス）
４          ネジ部（オス）
５          標識板
６          底部
図５
１          透視度計本体
２          試験水の液面
３          試験水
４          ピンチコック
５          液面調節容器
６          連結用ゴム管等
７          透視度計底部
【図１】
0003104196.tif 000004
【図２】
0003104196.tif 000005
【図３】
0003104196.tif 000006
【図４】
0003104196.tif 000007
【図５】
0003104196.tif 000008
【手続補正書】
【提出日】平成16年4月30日(2004.4.30)
【手続補正１】
【補正対象書類名】実用新案登録請求の範囲
【補正対象項目名】全文
【補正方法】変更
【補正の内容】
【実用新案登録請求の範囲】
【請求項１】
光透過性の材質で形成された底付きの円筒の上端に密閉用シールパッキンを取り付けることができる接続用フランジを有する円筒Ａと、光透過性の材質で形成され上下端に密閉用シールパッキンを取り付けることができる接続用フランジを有する１個あるいは複数個の円筒Ｂと、下端に密閉用シールパッキンを取り付けることができる接続用フランジを有する円筒Ｃとを有し、前記円筒Ａの上に前記円筒Ｂおよび前記円筒Ｂの上に前記円筒Ｃを順に前記フランジ部で密閉用シールパッキンを用いて接続することを特徴とする組み立て式透視度計。
【請求項２】
前記接続用フランジの接続面が擦り合せガラス面であることを特徴とする請求項１記載の組み立て式透視度計。
【請求項３】
前記円筒Ａの底部は、該底部の透視面に標識板が貼付られ、取り外し自在に接続されていることを特徴とする請求項１または請求項２記載の組み立て式透視度計。
【請求項４】
試験水の液面調節容器を軟質の配管で前記透視度計底部に連結することを特徴とする請求項１、請求項２、または請求項３記載の組み立て式透視度計。
【手続補正２】
【補正対象書類名】明細書
【補正対象項目名】全文
【補正方法】変更
【補正の内容】
【考案の詳細な説明】
【技術分野】
【０００１】  本考案は、各種の河川水や排水などの透視度の測定に係る組み立て式透視度計に関する。
【背景技術】
【０００２】  海域、河川、湖沼などの各種環境調査の１項目としてＪＩＳ−Ｋ０１０２に規定される透視度測定が広く実施されている。この方法は目盛付きガラスあるいは透明なプラスチック製の円筒容器に試験水を入れ、この液面を調節しながら、これを上面からの目視により下部に設置する標識板（マーク）を認識し、認識可能な水位を計測することにより河川水等の透明性を測定し汚濁の評価を行うものである。目視観察であるため、透視度計に電気的装置を接続し、観測精度を向上する方法が開発されている（特許文献１参照）。
また液排出時において標識板が固定されていないことから被測定水と一緒に排出し、紛失するトラブルが発生する。これを避けるため、標識板排出防止リングを接着できるようにしたものも開発されている（特許文献２参照）。
【特許文献１】特開平１１−３３７４８８号
【特許文献２】特開平９−２５７７０６号
【考案の開示】
【考案が解決しようとする課題】
【０００３】  従来の透視度計は観測する試験水の透明性に応じて３０ｃｍ、６０ｃｍ、１ｍの各種サイズ（長さ）の円筒が使用されている。透明性の高い試験水には長い円筒が使用される。しかし、長いものはもち運びに不便であり、破損の危険が大きかった。本考案は、組み立て式とすることにより、こうした不便性を解消するものである。【０００４】  標識板が底部に置かれる透視度計は、該透視度計円筒の上部から標識板が挿入されるが、この取り外しや洗浄が面倒である。また、試験水の排出時に、試験水と一緒に標識板が落下し紛失するトラブルが多く発生し、対策が必要となっている。また、測定時に試験水の液面を調節する必要があるが、従来の透視度計ではピンチコックを開いて液を外部に流出し、一方的に液面を下げるのみで、上下に変更することは困難であった。
【課題を解決するための手段】
【０００５】  請求項１に係る組み立て式透視度計は光透過性の材質で形成された底付きの円筒の上端面に密閉用シールパッキンを取り付けることができる接続用フランジを有する円筒Ａと、光透過性の材質で形成され上下端に密閉用シールパッキンを取り付けることができる接続用フランジを有する１個あるいは複数個の円筒Ｂと、下端に密閉用シールパッキンを取り付けることができる接続用フランジを有する円筒Ｃとを有し、前記円筒Ａの上に前記円筒Ｂおよび前記円筒Ｂの上に前記円筒Ｃを順に前記フランジ部で密閉用シールパッキンを用いて接続することを特徴とする。
透視度計を複数の組み立て式とすることで容易にバッグ等に格納できることを目的とするが、このためには簡易に組み立てできること、および液もれが生じないことが必要である。この対策としてゴムなどの軟質性材料を用いたパッキンの使用とこれを支える接続用フランジによる固定法を採用した。【０００６】  請求項２に係る組み立て式透視度計は前記接続用フランジの接続面が擦り合せガラス面であることを特徴とする。
パッキンの代りに共擦りのガラスを用いることにより接続を可能とするものである。【０００７】  請求項３に係る組み立て式透視度計は前記円筒Ａの底部が該底部の透視面に標識板が貼付られ、取り外し自在に接続されていることを特徴とする。
底部を透視度計本体から取り外し可能な構造とし、これに標識板を貼付け固定し、標識板の取り外しの不便を解消し、かつ試験水の排出時における紛失を防止する。また底部が分離できることから円筒状の透視度計本体の洗浄も容易となる。【０００８】  請求項４に係る組み立て式透視度計は、上記組み立て式透視度計において、試験水の液面調節容器を可撓性配管で前記透視度計底部に連結することを特徴とする。
試験水の液面を随時変更可能とすることにより、測定を容易にするものである。こために液面調節容器を軟質のチューブで本体と連結する。測定水は調節容器を上下することにより調節容器と透視度計本体との間を連結管原理により移動し随時液面のコントールが可能となる。
【考案の効果】
【０００９】  本考案は、透視度計を組み立て式とすることから、１ｍにおよぶ長い透視度計の場合における持ち運びの不便を解消し、野外における現地調査に使用が容易となる。また透視度計の洗浄や液面コントロールが容易となるなどの便利が図られる。立入り検査や環境教育等現地での簡易試験が要求される環境試験調査に活用される。
【考案を実施するための最良の形態】
【００１０】  本考案の組み立て式透視度計の一実施例を図１、図２および図３を参照して説明する。図１（ａ）は、組み立て式透視度計の模式断面図を、図１（ｂ）は図１（ａ）におけるＡ方向矢視図をそれぞれ示す。図１（ａ）および図１（ｂ）に示すように、組み立て式透視度計１は、光透過性の材料としてガラス又は透明プラスチックを用い、これに目盛を付けた底付き円筒Ａ２と同一の材料で製作された目盛付き円筒Ｂ３および円筒Ｃ４とから構成される。円筒Ａ２の底部２ａには標識板８を設置する。この標識板８は底部２ａに接着して、あるいは接着しない状態で用いられる。
図１および図２に示すように、円筒Ａ２の上端、円筒Ｃ４の下端、および円筒Ｂ３の上下端には接続用フランジ５を取り付け、クリップ１０による固定を可能とする。円筒Ａ２および円筒Ｂ３の上端で接続用フランジ５上には、密閉用シールパッキン９を接着し、水漏れを防ぐ構造とする。密閉用シールパッキン９は輪状あるいは平板状である。
また、図３に示すように接続用フランジ５に輪状の溝５ａを設け、取り外し可能な輪状の密閉用シールパッキン９を使用する構造とすることもできる。密閉用シールパッキン９の材料としてはゴム、軟質のプラスチックなどが使用できる。
円筒Ａ２、円筒Ｂ３および円筒Ｃ４は、図２に示すようにクリップ１０で相互に固定する、または、簡易な接着材で相互に接合してもよい。試験水の透視度の状況により、円筒Ｂ３は複数個使用される。
測定方法はこの円筒上部から試験水を注入し、これを円筒Ｃ４の上面から覗くことにより円筒下部の標識板８の標識を観察する。認識できない場合は排水管６のピンチコック７を開き、試験水を徐々に排出する。標識が認識できたときの水位を計測し、その値を透視度とする。透視度計本体１は長い円筒形であるため、通常はこれを支えることを可能とする固定用の架台（図示省略）に設置し使用する。【００１１】  組み立て式透視度計１において、密閉用シールパッキン９を用いる代わりに接続用フランジ５に、共擦りガラス板あるいはプラスチック材を使用しパッキン無しでも測定水の漏れが生じない構造とすることができる。【００１２】  底付き円筒Ａ２の底部２ａを図４のように、メスネジ部１１とオスネジ部１２とからなるネジ込み式とすることができる。また、かしめる、あるいはパッキンを取り付けてクリップにより固定するなどの接続方式も考えられる。底部２ａの上面に標識板８を貼付ける。あるいは底部２ａに印刷により標識を明示する。底部２ａは洗浄時など、必要に応じて取り外しする。【００１３】  透視度計１の内容積よりも大きい容積の液面調節容器１５をゴム製あるいはプラスチィック製等の軟質の配管１７で透視度計１と連結したものである。ピンチコック７を開いた状態において液面調節容器１５に試験水１４を入れると液は透視度計１のほうへ移動し、液面調節容器１５の液面１６の高さを変えることにより透視度計１の液面１３も連結管原理により変動し、両液面は一定高さとなる。従って透視度計の標識板８を観察しながら液面をコントロールすることで正確な液面が観測できる。ピンチコック７は必要に応じて使用される。
【実施例】
【００１４】  以下に実施例を挙げて本考案を説明するが、これらは本考案を限定するものではない。
実施例
円筒Ａ（長さ４０ｃｍ）１ケおよび円筒Ｂ（長さ３０ｃｍ）２ケを接続して総延長１ｍの透視度計を組み立て河川水の測定を行った。比較例として市販の透視度計（長さ１ｍ）を用いて同時に測定を行った。試験の結果（表１）では２種類の試験水について、いずれもほぼ、同一の値を示し、使用可能であることを示した。【００１５】
【表１】
0003104196.tif 000009
【産業上の利用可能性】
【００１６】  本考案は野外における現地調査や環境教育等での簡易試験・調査に活用される。
【図面の簡単な説明】
【００１７】
【図１】組み立て式透視度計の模式断面図である。
【図２】組み立て式透視度計の接続部の模試断面図である。
【図３】輪状パッキンを用いた場合の接続部の構造を示した模試断面図である。
【図４】組み立て式透視度計の底部（ネジ式）の構造を示した模試断面図である。
【図５】液面調節容器および透視度計の構造を示した模試断面図である。
【符号の説明】
【００１８】      １    組み立て式透視度計
２    円筒Ａ
３    円筒Ｂ
４    円筒Ｃ
５    接続用フランジ
６    排水管
７    ピンチコック
８    標識板
９    密閉用シールパッキン
１０  クリップ
１１  メスネジ部
１２  オスネジ部
１３  組み立て式透視度計の液面
１４  試験水
１５  液面調節容器
１６  液面調節容器の液面
１７  配管
【手続補正３】
【補正対象書類名】図面
【補正対象項目名】全文
【補正方法】変更
【補正の内容】
【書類名】図面
【図１】
0003104196.tif 000010
【図２】
0003104196.tif 000011
【図３】
0003104196.tif 000012
【図４】
0003104196.tif 000013
【図５】
0003104196.tif 000014